(57)【要約】【課題】携帯端末を用いた無線ＬＡＮエリアにおける人物検索の実現。【解決手段】無線ＬＡＮ管理サーバ４０がユーザ携帯端末にＩＰアドレスを付与し時刻とともに携帯端末管理データベース４２１に登録し、ユーザ携帯端末から受信した特徴情報とＩＰアドレスを対応付けて特徴情報データベース４２２に登録し、ユーザ携帯端末から受信した検索条件に基づき前記特徴情報データベース４２２を検索し探索ユーザを抽出して回答し、特徴情報データベース４２２の探索ユーザに対応付けて検索要求元ユーザ携帯端末のＩＰアドレスを登録し、前記時刻から所定時間毎に該当ユーザ携帯端末の無線ＬＡＮエリア内存在確認を行い、存在確認が得られなかった場合、特徴情報データベース４２２に検索要求元ユーザ携帯端末のＩＰアドレスが登録されていれば、検索要求元ユーザ携帯端末に対して検索相手が無線ＬＡＮエリア外に移動した旨を通知する。【選択図】      図１
2007060369.tif 000002
【特許請求の範囲】
【請求項１】
無線ＬＡＮに接続されたユーザ携帯端末と無線ＬＡＮ管理サーバとを備えた人物探索システムであって、
前記ユーザ携帯端末は、ＩＰアドレスを前記無線ＬＡＮ管理サーバに要求し受信する手段と、特徴情報を受信したＩＰアドレスとともに前記無線ＬＡＮ管理サーバに送信し登録要求する手段と、ユーザにより入力された検索条件を前記無線ＬＡＮ管理サーバに送信しユーザ探索を要求する手段と、検索結果を受信，表示する手段とを有し、
前記無線ＬＡＮ管理サーバは、前記ユーザ携帯端末毎にＩＰアドレスを付与し前記ユーザ携帯端末に送信する手段と、受信した特徴情報とＩＰアドレスを対応付けてデータベースに登録する手段と、受信した検索条件に基づいて前記データベースを検索し探索ユーザを抽出する手段と、検索結果を検索要求元のユーザ携帯端末に送信する手段とを有することを特徴とする人物探索システム。
【請求項２】
無線ＬＡＮに接続されたユーザ携帯端末と無線ＬＡＮ管理サーバとを備えた人物探索システムであって、
前記ユーザ携帯端末は、ＩＰアドレスを前記無線ＬＡＮ管理サーバに要求し受信する手段と、特徴情報を受信したＩＰアドレスとともに前記無線ＬＡＮ管理サーバに送信し登録要求する手段と、ユーザにより入力された検索条件を前記無線ＬＡＮ管理サーバに送信しユーザ探索を要求する手段と、検索結果を受信，表示する手段と、検索相手が無線ＬＡＮエリア外に移動した旨の通知を受信，表示する手段とを有し、
前記無線ＬＡＮ管理サーバは、前記ユーザ携帯端末毎にＩＰアドレスを付与し、時刻情報とともに第１のデータベースに登録する手段と、ＩＰアドレスを前記ユーザ携帯端末に送信する手段と、受信した特徴情報とＩＰアドレスを対応付けて第２のデータベースに登録する手段と、受信した検索条件に基づいて前記第２のデータベースを検索し探索ユーザを抽出する手段と、検索結果を検索要求元のユーザ携帯端末に送信する手段と、前記第２のデータベースに登録された探索ユーザのＩＰアドレスに対応付けて検索要求元ユーザ携帯端末のＩＰアドレスを登録する手段と、前記第１のデータベースに登録された時刻から所定時間毎に該当ユーザ携帯端末の無線ＬＡＮエリア内存在確認を行う手段と、存在確認が得られなかった場合、前記第２のデータベースに検索要求元ユーザ携帯端末のＩＰアドレスが登録されているかを確認する手段と、登録されていた場合に検索要求元ユーザ携帯端末に対して検索相手が無線ＬＡＮエリア外に移動した旨を通知する手段と、登録されていなかった場合、または、検索相手が無線ＬＡＮエリア外に移動した旨の通知を行った場合に、前記第１および前記第２のデータベースに登録された無線ＬＡＮエリア内存在確認が得られなかったユーザのデータを消去する手段とを有することを特徴とする人物探索システム。
【請求項３】
検索結果を受信したユーザ携帯端末が探索ユーザへの接続を前記無線ＬＡＮ管理サーバに要求する手段と、接続要求を受信した前記無線ＬＡＮ管理サーバが検索要求元ユーザ携帯端末，探索ユーザのユーザ携帯端末間を接続する手段とを、さらに有することを特徴とする請求項１または２記載の人物探索システム。
【請求項４】
請求項３において、探索ユーザが複数の場合、前記無線ＬＡＮ管理サーバは、検索要求元ユーザにより選択された少なくとも一人以上の探索ユーザのユーザ携帯端末と検索要求元ユーザ携帯端末とを接続することを特徴とする人物探索システム。
【請求項５】
前記特徴情報は前記ユーザ携帯端末に予め記憶されたものであることを特徴とする請求項１，２，３または４記載の人物探索システム。
【請求項６】
ユーザ携帯端末と接続される無線ＬＡＮ管理サーバであって、
前記ユーザ携帯端末毎にＩＰアドレスを付与し前記ユーザ携帯端末に送信する手段と、前記ユーザ携帯端末から受信した特徴情報とＩＰアドレスを対応付けてデータベースに登録する手段と、前記ユーザ携帯端末から受信した検索条件に基づいて前記データベースを検索し探索ユーザを抽出する手段と、検索結果を検索要求元のユーザ携帯端末に送信する手段とを有することを特徴とする無線ＬＡＮ管理サーバ。
【請求項７】
ユーザ携帯端末と接続される無線ＬＡＮ管理サーバであって、
前記ユーザ携帯端末毎にＩＰアドレスを付与し、時刻情報とともに第１のデータベースに登録する手段と、ＩＰアドレスを前記ユーザ携帯端末に送信する手段と、前記ユーザ携帯端末から受信した特徴情報とＩＰアドレスを対応付けて第２のデータベースに登録する手段と、前記ユーザ携帯端末から受信した検索条件に基づいて前記第２のデータベースを検索し探索ユーザを抽出する手段と、検索結果を検索要求元のユーザ携帯端末に送信する手段と、前記第２のデータベースに登録された探索ユーザのＩＰアドレスに対応付けて検索要求元ユーザ携帯端末のＩＰアドレスを登録する手段と、前記第１のデータベースに登録された時刻から所定時間毎に該当ユーザ携帯端末の無線ＬＡＮエリア内存在確認を行う手段と、存在確認が得られなかった場合、前記第２のデータベースに検索要求元ユーザ携帯端末のＩＰアドレスが登録されているかを確認する手段と、登録されていた場合に検索要求元ユーザ携帯端末に対して検索相手が無線ＬＡＮエリア外に移動した旨を通知する手段と、登録されていなかった場合、または、検索相手が無線ＬＡＮエリア外に移動した旨の通知を行った場合に、前記第１および前記第２のデータベースに登録された無線ＬＡＮエリア内存在確認が得られなかったユーザのデータを消去する手段とを有することを特徴とする無線ＬＡＮ管理サーバ。
【請求項８】
検索結果を受信したユーザ携帯端末からの接続要求を受信し、検索要求元ユーザ携帯端末，探索ユーザのユーザ携帯端末間を接続する手段を、さらに有することを特徴とする請求項６または７記載の無線ＬＡＮ管理サーバ。
【請求項９】
請求項８において、探索ユーザが複数の場合、検索要求元ユーザにより選択された少なくとも一人以上の探索ユーザのユーザ携帯端末と検索要求元ユーザ携帯端末とを接続することを特徴とする無線ＬＡＮ管理サーバ。
【請求項１０】
無線ＬＡＮに接続されたユーザ携帯端末と無線ＬＡＮ管理サーバとを用いた人物探索方法であって、
前記無線ＬＡＮ管理サーバが前記ユーザ携帯端末毎にＩＰアドレスを付与して前記ユーザ携帯端末に送信するステップと、前記ユーザ携帯端末から受信した特徴情報とＩＰアドレスを対応付けて前記無線ＬＡＮ管理サーバのデータベースに登録するステップと、前記無線ＬＡＮ管理サーバが前記ユーザ携帯端末から受信した検索条件に基づき前記データベースを検索して探索ユーザを抽出するステップと、検索結果を検索要求元のユーザ携帯端末に送信するステップとを有することを特徴とする人物探索方法。
【請求項１１】
無線ＬＡＮに接続されたユーザ携帯端末と無線ＬＡＮ管理サーバとを用いた人物探索方法であって、
前記ユーザ携帯端末からＩＰアドレスを要求された前記無線ＬＡＮ管理サーバが、前記ユーザ携帯端末毎にＩＰアドレスを付与して時刻情報とともに第１のデータベースに登録し、ＩＰアドレスを前記ユーザ携帯端末に送信するステップと、前記ユーザ携帯端末から受信した特徴情報とＩＰアドレスを対応付けて前記無線ＬＡＮ管理サーバの第２のデータベースに登録するステップと、前記無線ＬＡＮ管理サーバが前記ユーザ携帯端末から受信した検索条件に基づき前記第２のデータベースを検索して探索ユーザを抽出し、検索結果を検索要求元のユーザ携帯端末に送信するステップと、前記第２のデータベースに登録された探索ユーザのＩＰアドレスに対応付けて検索要求元ユーザ携帯端末のＩＰアドレスを登録するステップと、前記第１のデータベースに登録された時刻から所定時間毎に該当ユーザ携帯端末の無線ＬＡＮエリア内存在確認を行うステップと、存在確認が得られなかった場合、前記第２のデータベースに検索要求元ユーザ携帯端末のＩＰアドレスが登録されているかを確認するステップと、登録されていた場合に検索要求元ユーザ携帯端末に対して検索相手が無線ＬＡＮエリア外に移動した旨を通知するステップと、登録されていなかった場合、または、検索相手が無線ＬＡＮエリア外に移動した旨の通知を行った場合に、前記第１および前記第２のデータベースに登録された無線ＬＡＮエリア内存在確認が得られなかったユーザのデータを消去するステップとを有することを特徴とする人物探索方法。
【請求項１２】
ユーザ携帯端末からのＩＰアドレス要求を受信して前記ユーザ携帯端末毎にＩＰアドレスを付与し前記ユーザ携帯端末に送信する機能、前記ユーザ携帯端末から受信した特徴情報とＩＰアドレスを対応付けてデータベースに登録する機能、前記ユーザ携帯端末から受信した検索条件に基づいて前記データベースを検索し探索ユーザを抽出する機能、検索結果を検索要求元のユーザ携帯端末に送信する機能、をコンピュータに実現させるためのプログラム。
【請求項１３】
ユーザ携帯端末からのＩＰアドレス要求を受信して前記ユーザ携帯端末毎にＩＰアドレスを付与し、時刻情報とともに第１のデータベースに登録する機能、ＩＰアドレスを前記ユーザ携帯端末に送信する機能、前記ユーザ携帯端末から受信した特徴情報とＩＰアドレスを対応付けて第２のデータベースに登録する機能、前記ユーザ携帯端末から受信した検索条件に基づいて前記第２のデータベースを検索し探索ユーザを抽出する機能、検索結果を検索要求元のユーザ携帯端末に送信する機能、前記第２のデータベースに登録された探索ユーザのＩＰアドレスに対応付けて検索要求元ユーザ携帯端末のＩＰアドレスを登録する機能、前記第１のデータベースに登録された時刻から所定時間毎に該当ユーザ携帯端末の無線ＬＡＮエリア内存在確認を行う機能、存在確認が得られなかった場合、前記第２のデータベースに検索要求元ユーザ携帯端末のＩＰアドレスが登録されているかを確認する機能、登録されていた場合に検索要求元ユーザ携帯端末に対して検索相手が無線ＬＡＮエリア外に移動した旨を通知する機能、登録されていなかった場合、または、検索相手が無線ＬＡＮエリア外に移動した旨の通知を行った場合に、前記第１および前記第２のデータベースに登録された無線ＬＡＮエリア内存在確認が得られなかったユーザのデータを消去する機能、をコンピュータに実現させるためのプログラム。
【発明の詳細な説明】
【技術分野】
【０００１】
本発明は、人物探索システム，方法，無線ＬＡＮ管理サーバおよびプログラムに関し、特に無線ＬＡＮのサービスエリアにおける人物探索システム，方法，無線ＬＡＮ管理サーバおよびプログラムに関する。
【背景技術】
【０００２】
従来の人物探索システムの例が特開２０００−１６７２３３号公報（特許文献１）に開示されている。この特許文献１においては、
・ユーザは携帯電話機に記録した自分のキーデータ（氏名，趣味等）と近くに居れば会いたい人のキーデータ（探索希望キーデータ）を、自身の位置情報とともに所定時間毎（例えば、５分毎）に携帯電話機用基地局に送信し、
・基地局は同じ基地局圏内に存在するユーザのキーデータを照合し、探索希望キーデータに該当するキーデータがあればそのユーザの位置情報とともに探索依頼元のユーザ携帯電話機に送信する、
ことが記載されている。
【０００３】
【特許文献１】特開２０００−１６７２３３号公報（段落「００２０」〜「００２１」、図２）
【発明の開示】
【発明が解決しようとする課題】
【０００４】
上述した特許文献１においては、キーデータを携帯電話機用基地局に送信しているため、建物の地下フロア等の電波状況の悪い場所においては利用できないという問題がある。
【０００５】
また、特許文献１においては、ユーザ携帯電話機から所定時間毎にキーデータを位置情報とともに携帯電話機用基地局に送信しているため、ユーザにとって通信料金の負担が発生するという問題がある。
【０００６】
本発明の目的は、上述した課題を解決する人物探索システム，方法，無線ＬＡＮ管理サーバおよびプログラムを提供することにある。
【課題を解決するための手段】
【０００７】
本発明の第１の人物探索システムは、無線ＬＡＮに接続されたユーザ携帯端末と無線ＬＡＮ管理サーバとを備えた人物探索システムであって、
前記ユーザ携帯端末は、ＩＰアドレスを前記無線ＬＡＮ管理サーバに要求し受信する手段と、特徴情報を受信したＩＰアドレスとともに前記無線ＬＡＮ管理サーバに送信し登録要求する手段と、ユーザにより入力された検索条件を前記無線ＬＡＮ管理サーバに送信しユーザ探索を要求する手段と、検索結果を受信，表示する手段とを有し、
前記無線ＬＡＮ管理サーバは、前記ユーザ携帯端末毎にＩＰアドレスを付与し前記ユーザ携帯端末に送信する手段と、受信した特徴情報とＩＰアドレスを対応付けてデータベースに登録する手段と、受信した検索条件に基づいて前記データベースを検索し探索ユーザを抽出する手段と、検索結果を検索要求元のユーザ携帯端末に送信する手段とを有する。
【０００８】
本発明の第２の人物探索システムは、無線ＬＡＮに接続されたユーザ携帯端末と無線ＬＡＮ管理サーバとを備えた人物探索システムであって、
前記ユーザ携帯端末は、ＩＰアドレスを前記無線ＬＡＮ管理サーバに要求し受信する手段と、特徴情報を受信したＩＰアドレスとともに前記無線ＬＡＮ管理サーバに送信し登録要求する手段と、ユーザにより入力された検索条件を前記無線ＬＡＮ管理サーバに送信しユーザ探索を要求する手段と、検索結果を受信，表示する手段と、検索相手が無線ＬＡＮエリア外に移動した旨の通知を受信，表示する手段とを有し、
前記無線ＬＡＮ管理サーバは、前記ユーザ携帯端末毎にＩＰアドレスを付与し、時刻情報とともに第１のデータベースに登録する手段と、ＩＰアドレスを前記ユーザ携帯端末に送信する手段と、受信した特徴情報とＩＰアドレスを対応付けて第２のデータベースに登録する手段と、受信した検索条件に基づいて前記第２のデータベースを検索し探索ユーザを抽出する手段と、検索結果を検索要求元のユーザ携帯端末に送信する手段と、前記第２のデータベースに登録された探索ユーザのＩＰアドレスに対応付けて検索要求元ユーザ携帯端末のＩＰアドレスを登録する手段と、前記第１のデータベースに登録された時刻から所定時間毎に該当ユーザ携帯端末の無線ＬＡＮエリア内存在確認を行う手段と、存在確認が得られなかった場合、前記第２のデータベースに検索要求元ユーザ携帯端末のＩＰアドレスが登録されているかを確認する手段と、登録されていた場合に検索要求元ユーザ携帯端末に対して検索相手が無線ＬＡＮエリア外に移動した旨を通知する手段と、登録されていなかった場合、または、検索相手が無線ＬＡＮエリア外に移動した旨の通知を行った場合に、前記第１および前記第２のデータベースに登録された無線ＬＡＮエリア内存在確認が得られなかったユーザのデータを消去する手段とを有する。
【０００９】
本発明の第３の人物探索システムは、本発明の第１または第２の人物探索システムにおいて、検索結果を受信したユーザ携帯端末が探索ユーザへの接続を前記無線ＬＡＮ管理サーバに要求する手段と、接続要求を受信した前記無線ＬＡＮ管理サーバが検索要求元ユーザ携帯端末，探索ユーザのユーザ携帯端末間を接続する手段とを、さらに有する。
【００１０】
本発明の第４の人物探索システムは、本発明の第３の人物探索システムにおいて、探索ユーザが複数の場合、前記無線ＬＡＮ管理サーバは、検索要求元ユーザにより選択された少なくとも一人以上の探索ユーザのユーザ携帯端末と検索要求元ユーザ携帯端末とを接続することを特徴とする。
【００１１】
本発明の第５の人物探索システムは、本発明の第１，第２，第３または第４の人物探索システムにおいて、前記特徴情報は前記ユーザ携帯端末に予め記憶されたものであることを特徴とする。
【００１２】
本発明の第１の無線ＬＡＮ管理サーバは、ユーザ携帯端末と接続される無線ＬＡＮ管理サーバであって、
前記ユーザ携帯端末毎にＩＰアドレスを付与し前記ユーザ携帯端末に送信する手段と、前記ユーザ携帯端末から受信した特徴情報とＩＰアドレスを対応付けてデータベースに登録する手段と、前記ユーザ携帯端末から受信した検索条件に基づいて前記データベースを検索し探索ユーザを抽出する手段と、検索結果を検索要求元のユーザ携帯端末に送信する手段とを有する。
【００１３】
本発明の第２の無線ＬＡＮ管理サーバは、ユーザ携帯端末と接続される無線ＬＡＮ管理サーバであって、
前記ユーザ携帯端末毎にＩＰアドレスを付与し、時刻情報とともに第１のデータベースに登録する手段と、ＩＰアドレスを前記ユーザ携帯端末に送信する手段と、前記ユーザ携帯端末から受信した特徴情報とＩＰアドレスを対応付けて第２のデータベースに登録する手段と、前記ユーザ携帯端末から受信した検索条件に基づいて前記第２のデータベースを検索し探索ユーザを抽出する手段と、検索結果を検索要求元のユーザ携帯端末に送信する手段と、前記第２のデータベースに登録された探索ユーザのＩＰアドレスに対応付けて検索要求元ユーザ携帯端末のＩＰアドレスを登録する手段と、前記第１のデータベースに登録された時刻から所定時間毎に該当ユーザ携帯端末の無線ＬＡＮエリア内存在確認を行う手段と、存在確認が得られなかった場合、前記第２のデータベースに検索要求元ユーザ携帯端末のＩＰアドレスが登録されているかを確認する手段と、登録されていた場合に検索要求元ユーザ携帯端末に対して検索相手が無線ＬＡＮエリア外に移動した旨を通知する手段と、登録されていなかった場合、または、検索相手が無線ＬＡＮエリア外に移動した旨の通知を行った場合に、前記第１および前記第２のデータベースに登録された無線ＬＡＮエリア内存在確認が得られなかったユーザのデータを消去する手段とを有する。
【００１４】
本発明の第３の無線ＬＡＮ管理サーバは、本発明の第１または第２の無線ＬＡＮ管理サーバにおいて、検索結果を受信したユーザ携帯端末からの接続要求を受信し、検索要求元ユーザ携帯端末，探索ユーザのユーザ携帯端末間を接続する手段を、さらに有する。
【００１５】
本発明の第４の無線ＬＡＮ管理サーバは、本発明の第３の無線ＬＡＮ管理サーバにおいて、探索ユーザが複数の場合、検索要求元ユーザにより選択された少なくとも一人以上の探索ユーザのユーザ携帯端末と検索要求元ユーザ携帯端末とを接続することを特徴とする。
【００１６】
本発明の第１の人物探索方法は、無線ＬＡＮに接続されたユーザ携帯端末と無線ＬＡＮ管理サーバとを用いた人物探索方法であって、
前記無線ＬＡＮ管理サーバが前記ユーザ携帯端末毎にＩＰアドレスを付与して前記ユーザ携帯端末に送信するステップと、前記ユーザ携帯端末から受信した特徴情報とＩＰアドレスを対応付けて前記無線ＬＡＮ管理サーバのデータベースに登録するステップと、前記無線ＬＡＮ管理サーバが前記ユーザ携帯端末から受信した検索条件に基づき前記データベースを検索して探索ユーザを抽出するステップと、検索結果を検索要求元のユーザ携帯端末に送信するステップとを有する。
【００１７】
本発明の第２の人物探索方法は、無線ＬＡＮに接続されたユーザ携帯端末と無線ＬＡＮ管理サーバとを用いた人物探索方法であって、
前記ユーザ携帯端末からＩＰアドレスを要求された前記無線ＬＡＮ管理サーバが、前記ユーザ携帯端末毎にＩＰアドレスを付与して時刻情報とともに第１のデータベースに登録し、ＩＰアドレスを前記ユーザ携帯端末に送信するステップと、前記ユーザ携帯端末から受信した特徴情報とＩＰアドレスを対応付けて前記無線ＬＡＮ管理サーバの第２のデータベースに登録するステップと、前記無線ＬＡＮ管理サーバが前記ユーザ携帯端末から受信した検索条件に基づき前記第２のデータベースを検索して探索ユーザを抽出し、検索結果を検索要求元のユーザ携帯端末に送信するステップと、前記第２のデータベースに登録された探索ユーザのＩＰアドレスに対応付けて検索要求元ユーザ携帯端末のＩＰアドレスを登録するステップと、前記第１のデータベースに登録された時刻から所定時間毎に該当ユーザ携帯端末の無線ＬＡＮエリア内存在確認を行うステップと、存在確認が得られなかった場合、前記第２のデータベースに検索要求元ユーザ携帯端末のＩＰアドレスが登録されているかを確認するステップと、登録されていた場合に検索要求元ユーザ携帯端末に対して検索相手が無線ＬＡＮエリア外に移動した旨を通知するステップと、登録されていなかった場合、または、検索相手が無線ＬＡＮエリア外に移動した旨の通知を行った場合に、前記第１および前記第２のデータベースに登録された無線ＬＡＮエリア内存在確認が得られなかったユーザのデータを消去するステップとを有する。
【００１８】
本発明の第１のプログラムは、ユーザ携帯端末からのＩＰアドレス要求を受信して前記ユーザ携帯端末毎にＩＰアドレスを付与し前記ユーザ携帯端末に送信する機能、前記ユーザ携帯端末から受信した特徴情報とＩＰアドレスを対応付けてデータベースに登録する機能、前記ユーザ携帯端末から受信した検索条件に基づいて前記データベースを検索し探索ユーザを抽出する機能、検索結果を検索要求元のユーザ携帯端末に送信する機能、をコンピュータに実現させる。
【００１９】
本発明の第２のプログラムは、ユーザ携帯端末からのＩＰアドレス要求を受信して前記ユーザ携帯端末毎にＩＰアドレスを付与し、時刻情報とともに第１のデータベースに登録する機能、ＩＰアドレスを前記ユーザ携帯端末に送信する機能、前記ユーザ携帯端末から受信した特徴情報とＩＰアドレスを対応付けて第２のデータベースに登録する機能、前記ユーザ携帯端末から受信した検索条件に基づいて前記第２のデータベースを検索し探索ユーザを抽出する機能、検索結果を検索要求元のユーザ携帯端末に送信する機能、前記第２のデータベースに登録された探索ユーザのＩＰアドレスに対応付けて検索要求元ユーザ携帯端末のＩＰアドレスを登録する機能、前記第１のデータベースに登録された時刻から所定時間毎に該当ユーザ携帯端末の無線ＬＡＮエリア内存在確認を行う機能、存在確認が得られなかった場合、前記第２のデータベースに検索要求元ユーザ携帯端末のＩＰアドレスが登録されているかを確認する機能、登録されていた場合に検索要求元ユーザ携帯端末に対して検索相手が無線ＬＡＮエリア外に移動した旨を通知する機能、登録されていなかった場合、または、検索相手が無線ＬＡＮエリア外に移動した旨の通知を行った場合に、前記第１および前記第２のデータベースに登録された無線ＬＡＮエリア内存在確認が得られなかったユーザのデータを消去する機能、をコンピュータに実現させる。
【発明の効果】
【００２０】
本発明は、ユーザ携帯端末と無線ＬＡＮシステムだけで構成され、移動体通信網やインターネット等のネットワークは使用していない。このため、建物の地下フロア等の電波状況の悪い場所でも利用できるとともに、ユーザにとって通信料金の負担も発生しないという効果が得られる。
【００２１】
また、本発明は、無線ＬＡＮエリア内の各ユーザ携帯端末にＩＰアドレスを付与し、ユーザの特徴情報をＩＰアドレスに対応付けて登録している。これにより、無線ＬＡＮエリア内において、特徴情報を基にしたユーザ探索が可能になるという効果が得られる。
【発明を実施するための最良の形態】
【００２２】
本発明の実施の形態について図面を参照して詳細に説明する。
【００２３】
図１は、本発明の一実施の形態の構成を示す図であり、ユーザ携帯端末１０と、ユーザ携帯端末２０と、無線アクセスポイント３０と、無線ＬＡＮ(Ｌocal Ａrea Ｎetwork）管理サーバ４０とを備えている。ユーザ携帯端末１０，２０との間で電波の送受信を行う無線アクセスポイント３０と無線ＬＡＮ管理サーバ４０は有線ＬＡＮ１００を介して相互に接続されている。なお、無線アクセスポイント３０，無線ＬＡＮ管理サーバ４０，有線ＬＡＮ１００を備えた無線ＬＡＮシステムは、例えば、デパートやイベント会場等に設置される。無線ＬＡＮを用いた本発明は、主として迷子の探索やお見合いパーティーでの相手探し、グループ行動における連絡のための探索、等を対象としているが、本実施の形態においては、迷子の探索を例に説明する。
【００２４】
ユーザ携帯端末１０，２０は、携帯電話機，ＰＨＳ（Personal Handyphone System）等の携帯情報端末である。このユーザ携帯端末１０，２０は、図示しないが、無線ＬＡＮシステムとの通信を行う通信部と、情報を表示するための表示部と、通話をするための送受話部と、記憶部と、キー等の操作部と、各部を制御する制御部とを含んでいる。ここで、記憶部には使用者の特徴情報（氏名，性別，年齢，身長、等）が予め登録，記憶されている。
【００２５】
無線ＬＡＮ管理サーバ４０は、ワークステーション・サーバ等の情報処理装置であり、制御部４１と、記憶部４２とを備えている。
【００２６】
制御部４１は、ＣＰＵ（Central Processing Unit）等の制御装置であり、プログラム
により動作を制御される。この制御部４１は、
・ユーザ携帯端末１０，２０に対してＩＰ（Internet Protocol）アドレスを割り当て、
接続開始時刻と対応付けて携帯端末管理データベース４２１に登録するとともに、ＩＰアドレスをユーザ携帯端末１０，２０に送信する機能、
・ユーザ携帯端末１０，２０から送信された特徴情報をユーザ携帯端末１０，２０のＩＰアドレスに対応付けて特徴情報データベース４２２に登録する機能、
・ユーザ携帯端末１０，２０からの検索要求を受け、特徴情報の検索を行って検索結果をユーザ携帯端末１０，２０に通知する機能、
・検索結果通知後に、検索結果通知先アドレスを特徴情報データベース４２２の被検索ユーザ対応に登録する機能、
・ユーザ携帯端末１０，２０からの要求に応じてユーザ携帯端末１０，２０間を接続する機能、
・携帯端末管理データベース４２１の接続開始時刻から所定時間毎（例えば、５分毎）に、ユーザ携帯端末１０，２０の無線ＬＡＮ圏内存在確認を行う機能、
・ユーザ携帯端末１０，２０が無線ＬＡＮ圏外になったときに、そのユーザ対応に検索結果通知先ＩＰアドレスが登録されていた場合は、検索結果通知先ＩＰアドレスのユーザ携帯端末１０，２０に対して検索相手が無線ＬＡＮ圏外になったことを通知する機能、
・ユーザ携帯端末１０，２０が無線ＬＡＮ圏外になったときに、携帯端末管理データベース４２１から該当ユーザ携帯端末１０，２０のデータを消去する機能、
を備えている。
【００２７】
記憶部４２は、読み出し，書き込み可能な記憶装置であり、携帯端末管理データベース４２１と、特徴情報データベース４２２とを含んでいる。携帯端末管理データベース４２１には、図２（携帯端末管理データベース４２１に格納されるデータの一例を示す図）に示すように、ＩＰアドレスと接続開始時刻が格納される。これらの情報は携帯端末１０，２０のそれぞれに対応して格納される。なお、これらの他に、ＭＡＣ（Media Access Control）アドレスを含めてもよい。また、接続開始時刻とは、ユーザ携帯端末１０，２０が無線ＬＡＮ通信圏内に入ったときに、無線ＬＡＮ管理サーバ４０がユーザ携帯端末１０，２０にＩＰアドレスを付与し、携帯端末管理データベース４２１に登録した時刻である。特徴情報データベース４２２には、図３（特徴情報データベース４２２に格納されるデータの一例を示す図）に示すように、ＩＰアドレス，特徴情報，検索結果通知先ＩＰアドレスが格納される。特徴情報とは、ユーザの氏名，性別，年齢，身長等の情報であり、検索結果通知先ＩＰアドレスとは、そのユーザの探索を要求したユーザのユーザ携帯端末１０，２０のＩＰアドレスである。
【００２８】
次に、本発明の一実施の形態の動作について図１〜図４を参照して説明する。図４は、本発明の一実施の形態の動作を示すフローチャートである。
【００２９】
ユーザ携帯端末１０，２０を所持したユーザ（例えば、親と子供）が無線ＬＡＮシステムの設置されたデパート等に入った場合を想定して説明する。店内に設置された無線アクセスポイント３０の通信エリアに入ったときに、ユーザはユーザ携帯端末１０，２０から無線アクセスポイント３０を介して無線ＬＡＮ管理サーバ４０にＩＰアドレスを要求する。このとき、無線アクセスポイント３０への接続情報については、例えば、ユーザ携帯端末１０，２０が予め無線ＬＡＮ管理サーバ４０から取得し図示しない記憶部に格納しておくものとする。また、無線アクセスポイント３０の通信エリアに入ったことは、例えば、ユーザ携帯端末１０，２０が無線アクセスポイント３０からの電波を検知して表示することでユーザが認識する。なお、以下の説明においては、ユーザ携帯端末１０を子供が、ユーザ携帯端末２０を親がそれぞれ所持し、子供が迷子になったときに親のユーザ携帯端末２０から検索要求する場合の動作について説明する（図４のステップＡ１）。
【００３０】
無線ＬＡＮ管理サーバ４０の制御部４１は、ユーザ携帯端末１０，２０のそれぞれに異なったＩＰアドレスを付与し、接続開始時刻とともに携帯端末管理データベース４２１に登録する。この登録は、ユーザ携帯端末１０，２０のそれぞれに対して行われる。接続開始時刻については、制御部４１が図示しない時計部から現在時刻を取得し無線ＬＡＮシステムへの接続開始時刻として登録する。そして、制御部４１はＩＰアドレスをユーザ携帯端末１０，２０にそれぞれ送信し、ユーザ携帯端末１０，２０は受信したＩＰアドレスを図示しない記憶部に格納する（ステップＡ２）。
【００３１】
続いて、ＩＰアドレスを受信したユーザ携帯端末１０，２０は、図示しない記憶部に記憶されている特徴情報（氏名，性別，年齢，身長、等）にＩＰアドレスを付して無線ＬＡＮ管理サーバ４０に送信する（ステップＡ３）。無線ＬＡＮ管理サーバ４０の制御部４１は、受信したそれぞれの特徴情報をＩＰアドレスと対応付けて特徴情報データベース４２２に登録する（ステップＡ４）。
【００３２】
以上、ユーザ携帯端末１０，２０から無線ＬＡＮ管理サーバ４０に特徴情報を登録する処理について説明したが、次に、探索処理について説明する。
【００３３】
探索要求はユーザ携帯端末１０，２０のいずれからも可能であるが、ここでは、迷子になった子供を親が探索要求する場合（親のユーザ携帯端末２０が子供のユーザ携帯端末１０を探索）を例に説明する。
【００３４】
ユーザ（親）はユーザ携帯端末２０から無線ＬＡＮ管理サーバ４０にアクセスし、子供の特徴情報を検索条件として入力すると、ユーザ携帯端末２０は入力された特徴情報に自端末のＩＰアドレスを付して無線ＬＡＮ管理サーバ４０に送信する。このとき、ユーザ（親）が入力する子供の特徴情報は、特徴情報データベース４２２に登録された特徴情報の一部でもよいし全部でもよい。また、ＩＰアドレスについてはユーザ携帯端末２０の図示しない記憶部から取得する（ステップＡ５）。無線ＬＡＮ管理サーバ４０の制御部４１は、ユーザ携帯端末２０から受信した特徴情報に基づき、特徴情報データベース４２２に登録された特徴情報を検索する（ステップＡ６）。そして、制御部４１は検索結果をユーザ携帯端末２０に送信する。このとき、制御部４１は、受信した検索条件（親により入力された特徴情報）にマッチするユーザがない場合は、その旨を通知する。受信した検索条件にマッチするユーザがあった場合は、制御部４１は、特徴情報データベース４２２に登録された該当ユーザの特徴情報を取得して検索結果通知に含める（ステップＡ７）。
【００３５】
ユーザ携帯端末２０は、無線ＬＡＮ管理サーバ４０からの検索結果を受信，表示する（ステップＡ８）。ユーザ（親）は表示された検索結果を見ることにより、検索条件とした特徴情報にマッチしたユーザがいたかを判断する。マッチしたユーザがいた場合、検索結果画面情報として、マッチしたユーザ全員の特徴情報とユーザ選択欄と連絡要求ボタンが表示される。ユーザ（親）が画面上で自分の子供をユーザ選択欄で選択し、画面上の連絡要求ボタンを押下することにより、ユーザ携帯端末２０は無線ＬＡＮ管理サーバ４０に連絡要求を送信する。このとき、無線ＬＡＮ管理サーバ４０には選択された子供の特徴情報とユーザ携帯端末２０のＩＰアドレスが送信される（ステップＡ９，Ａ１０）。無線ＬＡＮ管理サーバ４０の制御部４１は、子供のユーザ携帯端末１０と親のユーザ携帯端末２０とを接続し、親子のユーザ携帯端末１０，２０は通話状態に入る。このとき、子供のユーザ携帯端末１０のＩＰアドレスについては、制御部４１は選択された子供の特徴情報を基に特徴情報データベース４２２から取得する（ステップＡ１１）。
【００３６】
以上説明した一実施の形態においては、一実施の形態はユーザ携帯端末と無線ＬＡＮシステムだけで構成され、携帯電話機用基地局やインターネット等の外部ネットワークは経由しない。このため、建物の地下フロア等の電波状況の悪い場所でも利用できるとともに、ユーザにとって通信料金の負担が発生しないという効果が得られる。
【００３７】
また、無線ＬＡＮエリア内の各ユーザ携帯端末にＩＰアドレスを付与し、ユーザの特徴情報をＩＰアドレスに対応付けて登録している。これにより、無線ＬＡＮエリア内において、特徴情報を基にしたユーザ探索が可能になるという効果が得られる。
【００３８】
次に、本発明の他の実施の形態について説明する。
【００３９】
本実施の形態が上述した一実施の形態と異なる点は、以前探索要求した相手が無線ＬＡＮエリア圏外に移動したときに、その旨を以前探索要求したユーザ携帯端末に通知するようにした点である。本実施の形態の構成は、一実施の形態の構成（図１）と同じである。
【００４０】
次に、本発明の他の実施の形態の動作について図５を参照して説明する。図５は、本発明の他の実施の形態の動作を示すフローチャートである。
【００４１】
図５を参照すると、ステップＢ１〜ステップＢ７の動作は、図４のステップＡ１〜ステップＡ７の動作と同じである。また、ステップＢ９〜ステップＢ１２の動作は、図４のステップＡ８〜ステップＡ１１の動作と同じである。本実施の形態においては、図４に示す一実施の形態の動作に対して、ステップＢ８とステップＢ１３〜ステップ１８の動作を追加している。以下、一実施の形態に対して追加されたステップＢ８とステップＢ１３〜ステップ１８の動作について説明する。
【００４２】
ステップＢ７（図４のステップＡ７に同じ）においては、検索結果をユーザ携帯端末２０に送信した。これに続き、無線ＬＡＮ管理サーバ４０の制御部４１は、特徴情報データベース４２２において、検索結果通知に含めたユーザ対応の検索結果通知先ＩＰアドレス欄に、ユーザ携帯端末２０のＩＰアドレスを登録する（ステップＢ８）。
【００４３】
無線ＬＡＮ管理サーバ４０の制御部４１は、携帯端末管理データベース４２１の接続開始時刻を参照し、接続開始時刻から所定時間毎（例えば、５分毎）に各ユーザ携帯端末１０，２０の無線ＬＡＮ圏内存在確認を行う。具体的には、制御部４１は図示しないタイマー部で所定時間をカウントし、所定時間に達すると接続確認のためのパケット（例えば、ｐｉｎｇパケット）を各ユーザ携帯端末１０，２０に送信する。接続確認のためのパケットを受信したユーザ携帯端末１０，２０は、自身のＩＰアドレスとともに応答パケット（例えば、ｐｏｎｇパケット）を送信する。そして、制御部４１は各ユーザ携帯端末１０，２０から応答があるかを監視し、応答があれば無線ＬＡＮエリア圏内に存在すると判断し、応答がなければ無線ＬＡＮエリア圏外に移動したと判断する（ステップＢ１３，Ｂ１４）。
【００４４】
応答がなかったユーザ携帯端末１０，２０については、制御部４１は特徴情報データベース４２２を参照し検索結果通知先ＩＰアドレスが登録されているかを確認する（ステップＢ１４→ステップＢ１５）。検索結果通知先ＩＰアドレスが登録されていなかった場合は、制御部４１は、応答がなかったユーザ携帯端末１０，２０の登録済データを携帯端末管理データベース４２１および特徴情報データベース４２２から消去する（ステップＢ１５→ステップＢ１７）。登録されていた場合は、制御部４１は、以前検索結果を通知した検索相手が無線ＬＡＮエリア圏外に移動したことを、登録されていた検索結果通知先ＩＰアドレスのユーザ携帯端末１０，２０に通知する。ここで、以前とは、ユーザ携帯端末１０，２０が無線ＬＡＮエリア圏内に入ってから現在に至る間、を意味している（ステップＢ１５→ステップＢ１６）。そして、通知後に、制御部４１は、応答がなかったユーザ携帯端末１０，２０の登録済データを携帯端末管理データベース４２１および特徴情報データベース４２２から消去する（ステップＢ１６→ステップＢ１７）。ユーザ携帯端末２０は、以前検索結果を受信した検索相手（ユーザ携帯端末１０）が無線ＬＡＮエリア圏外に移動したことを受信，表示する（ステップＢ１８）。
【００４５】
以上説明した他の実施の形態によれば、上述した一実施の形態の効果に加え、以前検索結果を受信した検索相手が無線ＬＡＮエリア圏外に移動したことを把握できるという効果がさらに得られる。
【００４６】
次に、本発明の応用例，変形例等について説明する。
【００４７】
・上述した一実施の形態または他の実施の形態において、ユーザ携帯端末１０，２０は予め記憶部に記憶されている特徴情報を無線ＬＡＮ管理サーバ４０に送信するとして説明したが、ユーザから入力された特徴情報を送信するようにしてもよい。また、いずれの特徴情報（記憶部に記憶された特徴情報、または、ユーザから新たに入力された特徴情報）を送信するのかをユーザに選択させるようにしてもよい。
【００４８】
・上述した一実施の形態または他の実施の形態においては迷子の探索を例に説明したが、お見合いパーティーでの相手探しやグループ行動における連絡のための探索等に本発明を適用することも可能である。お見合いパーティーでの相手探しにおいては、例えば、趣味や年齢等の特徴情報を検索条件として検索要求することが考えられる。また、グループ行動における連絡のための探索においては、グループ共通のキーワード（例えば、グループ名）を特徴情報として登録しておき、グループ名を検索条件として検索要求することが考えられる。
【００４９】
・上述した一実施の形態または他の実施の形態においては、無線アクセスポイント３０の通信エリアに入ったときに、ユーザの操作によりユーザ携帯端末１０，２０から無線ＬＡＮ管理サーバ４０にＩＰアドレスを要求するとして説明した。これに対し、ユーザ携帯端末１０，２０が無線アクセスポイント３０の通信エリアに入ったことを検知すると、ユーザの操作なしに自動的に無線ＬＡＮ管理サーバ４０にＩＰアドレスを要求するようにしてもよい。
【００５０】
・上述した一実施の形態または他の実施の形態において、無線ＬＡＮ管理サーバ４０は検索結果通知後に連絡要求を受信した場合は、ユーザ携帯端末１０，ユーザ携帯端末２０間を接続するとして説明した。本発明をグループ行動における連絡に適用した場合は、例えば、無線ＬＡＮ管理サーバ４０が探索要求を行ったユーザ携帯端末２０と探索相手の複数のグループ員の携帯端末とを接続し、ユーザ携帯端末２０から一斉同報通信するようにしてもよい。
【００５１】
・探索相手が知り合いの場合、探索相手の携帯端末の特徴情報にユニークなワードや文を入れておき、検索要求するときにそれらを指定するようにしてもよい。これにより、検索精度を向上させることができる。
【図面の簡単な説明】
【００５２】
【図１】本発明の一実施の形態の構成を示す図である。
【図２】携帯端末管理データベース４２１に格納されるデータの一例を示す図である。
【図３】特徴情報データベース４２２に格納されるデータの一例を示す図である。
【図４】本発明の一実施の形態の動作を示すフローチャートである。
【図５】本発明の他の実施の形態の動作を示すフローチャートである。
【符号の説明】
【００５３】
１０    ユーザ携帯端末
２０    ユーザ携帯端末
３０    無線アクセスポイント
４０    無線ＬＡＮ管理サーバ
４１    制御部
４２    記憶部
４２１    携帯端末管理データベース
４２２    特徴情報データベース
１００    有線ＬＡＮ
【図１】
2007060369.tif 000003
【図２】
2007060369.tif 000004
【図３】
2007060369.tif 000005
【図４】
2007060369.tif 000006
【図５】
2007060369.tif 000007